(57)【要約】【課題】収納用布製品において、携帯性とスライドファスナーの開閉容易性とを両立させる。【解決手段】収納用布製品は、布地で形成された底面部、側面部及び頂面部を備える。その収納用布製品は、側面部及び頂面部のいずれか一方である外面部２が、開口１０を有する外面本体部２ａと、開口を覆う蓋部２ｂと、外面本体部と蓋部との間に取着されたスライドファスナー１１と、外面本体部及びスライドファスナーの少なくとも一つに取着され、可塑性を有する線状体５０と、を備える。スライドファスナーは長手方向の一端部１１Ｅ１と他端部との間に湾曲部分１１Ｃ１を有する。線状体はスライドファスナーの湾曲部分に沿って延在する。【選択図】図６
2017124011.tif 000002
【特許請求の範囲】
【請求項１】
布地で形成された底面部、側面部及び頂面部を備える収納用布製品であって、
前記側面部及び前記頂面部のいずれか一方である外面部は、
開口を有する外面本体部と、
前記開口を覆う蓋部と、
前記外面本体部と前記蓋部との間に取着されたスライドファスナーと、
前記外面本体部及び前記スライドファスナーの少なくとも一つに取着され、可塑性を有する線状体と、
を備え、
前記スライドファスナーは長手方向の一端部と他端部との間に湾曲部分を有し、
前記線状体は前記スライドファスナーの前記湾曲部分に沿って延在する、
収納用布製品。
【請求項２】
前記スライドファスナーの幅方向の一側縁部は、前記外面本体部の前記開口側の周縁部に沿って前記外面本体部に取着され、
前記スライドファスナーの幅方向の他側縁部は、前記蓋部の周縁部に沿って前記蓋部に取着され、
前記線状体は、前記外面本体部の前記開口側の周縁部に沿って前記外面本体部に取着されている、
請求項１に記載の収納用布製品。
【請求項３】
前記一端部又は前記他端部における前記スライドファスナーの面に対して、前記湾曲部分における前記スライドファスナーの面が立ち上がった状態となるように、前記スライドファスナーが前記外面本体部に取着されており、
前記線状体は前記スライドファスナーに沿って、前記一端部から前記湾曲部分を介して前記他端部まで延在し、前記外面本体部を介して前記スライドファスナーと重なり合うように前記外面本体部に取着されている、
請求項１又は２に記載の収納用布製品。
【請求項４】
前記線状体は、前記スライドファスナーに沿って前記スライドファスナーの両側に取着されている、
請求項１乃至３のいずれか一項に記載の収納用布製品。
【請求項５】
前記収納用布製品の骨格を構成するように前記側面部内に前記底面部から前記頂面部に向かって延在する、可塑性を有する複数の他の線状体を更に備える、
請求項１乃至４のいずれか一項に記載の収納用布製品。
【請求項６】
前記複数の他の線状体は、前記収納用布製品の骨格を構成するように前記頂面部の周縁部に沿って延在する線状体を含む、
請求項５に記載の収納用布製品。
【請求項７】
前記収納用布製品は、前記底面部を底面として自立可能である、
請求項５又は６に記載の収納用布製品。
【請求項８】
前記布地の繊度は２０デニール以上、４２０デニール以下である、
請求項１乃至７のいずれか一項に記載の収納用布製品。
【発明の詳細な説明】
【技術分野】
【０００１】
本発明は、スライドファスナーを備える収納用布製品に関する。
【背景技術】
【０００２】
バッグのような収納用布製品では、布地やスライドファスナーなど使用される材料が一般に軽量で柔らかい。そのため、収納用布製品を折り畳むことは比較的容易であり、その折り畳まれた収納用布製品を携帯したり、仕舞ったりすることができる。例えば、デイパックやダッフルバッグのようなバッグでは、柔らかでしなやかな布地、すなわち剛性の低い布地を用いており、バッグを容易に折り畳むことができ、容易に携帯などすることができる。
【０００３】
一方、携帯などされた収納用布製品を使用するときには、折り畳まれた収納用布製品を拡げて収納用布製品の本来の形体に戻して使用する必要がある。ここで、上述のように、収納用布製品で使用される材料は柔らかく変形し易いため、例えばスライドファスナーの開閉時に、スライドファスナーの周囲の布地やスライドファスナー自身が容易に変形してしまうおそれがある。その場合、例えば使用者によってスライドファスナーのスライダーに印加される力の方向、すなわちスライダーの移動しようとする方向と、スライドファスナーのエレメント列の延在する方向とが大きくずれてしまい、スライダーが動き難くなり、結果としてスライドファスナーが開閉し難くなるおそれがある。そうなると、物品を収納用布製品内に収納することが困難になる。特にデイパックやダッフルバッグのようなバッグでは、剛性の低い布地を用いているため、その影響は大である。
【０００４】
バッグの変形を抑える技術としては、特許文献１に、ソフトな素材で構成されたソフトバッグの型崩れを抑制する技術が開示されている。特許文献１の記載によれば、スポーツバッグ等のソフトバッグにおいて、生地相互の接合部に縫着されているパイピン内に弾性を有する金属線を収納することで、型崩れを抑制することができる。
【先行技術文献】
【特許文献】
【０００５】
【特許文献１】特開２００６−１０２１５３号公報
【発明の概要】
【発明が解決しようとする課題】
【０００６】
上記のように、収納用布製品は軽量で柔らかいため携帯性に優れているが、変形し易いために使用時にスライドファスナーの開閉が困難になるおそれがある。ここで、スライドファスナーが収納用布製品に直線状に取着されている場合、例えば上止を摘んでスライダーを下止に向かって引き下げることでスライドファスナーを開くとことができ、下止を摘んでスライダーを上止に向かって引き上げることでスライドファスナーを閉じることができる。しかし、スライドファスナーが収納用布製品に湾曲した状態で取着されているなど、スライドファスナーが湾曲部分を有する場合、上記のスライドファスナーが収納用布製品に直線状に取着されている場合の方法では必ずしも上手く開閉できない。スライドファスナーの開閉が困難になると、物品を収納用布製品内に収納することが困難になる。
【０００７】
上述された特許文献１に記載の技術では、バッグの型崩れを抑制するために、弾性を有する金属線をパイピン（袋状部）内に収納している。しかし、この技術では、金属線として、金属の板バネや金属のコイルバネのような弾性体を使用し、その弾性体の弾性力を用いて型崩れを抑制するため、バッグを折り畳むことは困難であると推測され、携帯性が犠牲になると考えられる。
【０００８】
収納用布製品において、携帯性とスライドファスナーの開閉容易性とを両立させることが可能な技術が望まれる。
【課題を解決するための手段】
【０００９】
本発明の収納用布製品は、布地で形成された底面部、側面部及び頂面部を備える収納用布製品であって、前記側面部及び前記頂面部のいずれか一方である外面部は、開口を有する外面本体部と、前記開口を覆う蓋部と、前記外面本体部と前記蓋部との間に取着されたスライドファスナーと、前記外面本体部及び前記スライドファスナーの少なくとも一つに取着され、可塑性を有する線状体と、を備え、前記スライドファスナーは長手方向の一端部と他端部との間に湾曲部分を有し、前記線状体は前記スライドファスナーの前記湾曲部分に沿って延在する、収納用布製品である。
【００１０】
上記の収納用布製品は、前記スライドファスナーの幅方向の一側縁部が、前記外面本体部の前記開口側の周縁部に沿って前記外面本体部に取着され、前記スライドファスナーの幅方向の他側縁部が、前記蓋部の周縁部に沿って前記蓋部に取着され、前記線状体が、前記外面本体部の前記開口側の周縁部に沿って前記外面本体部に取着されている、収納用布製品であってもよい。
【００１１】
上記の収納用布製品は、前記一端部又は前記他端部における前記スライドファスナーの面に対して、前記湾曲部分における前記スライドファスナーの面が立ち上がった状態となるように、前記スライドファスナーが前記外面本体部に取着されており、前記線状体は前記スライドファスナーに沿って、前記一端部から前記湾曲部分を介して前記他端部まで延在し、前記外面本体部を介して前記スライドファスナーと重なり合うように前記外面本体部に取着されている、収納用布製品であってもよい。
【００１２】
上記の収納用布製品は、前記線状体が、前記スライドファスナーに沿って前記スライドファスナーの両側に取着されている、収納用布製品であってもよい。上記の収納用布製品は、前記収納用布製品の骨格を構成するように前記側面部内に前記底面部から前記頂面部に向かって延在する、可塑性を有する複数の他の線状体を更に備える、収納用布製品であってもよい。上記の収納用布製品は、前記収納用布製品の骨格を構成するように前記頂面部の周縁部に沿って延在する、可塑性を有する別の線状体を更に備える、収納用布製品であってもよい。上記の収納用布製品は、前記底面部を底面として自立可能である、収納用布製品であってもよい。上記の収納用布製品は、前記布地の繊度が２０デニール以上、４２０デニール以下である、収納用布製品であってもよい。
【発明の効果】
【００１３】
本発明によれば、収納用布製品において、携帯性とスライドファスナーの開閉容易性とを両立させることが可能となる。
【図面の簡単な説明】
【００１４】
【図１】実施の形態に係る収納用布製品の構成例を示す斜視図である。
【図２】実施の形態に係る収納用布製品の構成例を示す正面図である。
【図３】実施の形態に係る収納用布製品の構成例を示す側面図である。
【図４】実施の形態に係る収納用布製品の構成例を示す頂面図である。
【図５】実施の形態に係るスライドファスナーの構成例を示す模式図である。
【図６】実施の形態に係るスライドファスナーの開閉状態を示す模式図である。
【図７】実施の形態に係るスライドファスナーの構成例を示す断面図である。
【発明を実施するための形態】
【００１５】
まず、本実施の形態に係る収納用布製品について説明する。本実施の形態では、収納用布製品の例としてデイパックについて説明する。なお、本発明の収納用布製品は、デイパックに限定されるものでは無く、スライドファスナーを有する他の収納用布製品であってもよい。他の収納用布製品としては、例えばナップサック、リュックサック、スポーツバッグバッグ、ダッフルバッグなどが挙げられる。
【００１６】
図１〜図４は実施の形態に係る収納用布製品１の構成例を示す斜視図、正面図、側面図、及び頂面図である。収納用布製品１のデイパックは、折り畳んで携帯可能であるが、図１〜図４に示すように折り畳んだ状態から拡げた状態（本来の形体）にされて物品を収納可能である。収納用布製品１は、略直方体形状を有しており、略直方体の底面を構成する底面部５、側面を構成する側面部２、３、６、７、並びに頂面を構成する頂面部４を備えている。
【００１７】
底面部５は、角に丸みを帯びた略矩形形状を有する布地で形成されている。底面部５は底面部５と同形状の薄板状のパッドを含んでおり、それにより底面部５が補強されて、略矩形形状を保持可能となるように構成されている。なお、底面部５は、パッドの代わりに又はパッドと共に他の補強治具を有していてもよい。その補強治具としては、例えば外力による変形後は概ねその形状を保持できる可塑性を有する線状体が挙げられ、その線状体は例えば底面部５の周縁部に沿って環状に配置される。線状体を用いる場合、パッドを用いる場合と比較して軽量にできる。
【００１８】
側面部２、３、６、７は、それぞれ略矩形形状を有する布地で形成されている。側面部２、３、６、７は、それぞれ正面側、裏面側、右側、及び左側の側面を構成しており、底面部５の周縁の各辺から頂面部４へ向かって立設するように底面部５に取り付けられている。側面部３には、収納用布製品１を背負うための肩紐４０が設けられている（ただし、図２〜図４では肩紐４０の記載を省略している）。側面部２には後述される湾曲部分を有するスライドファスナー（図示されず）が設けられており、側面部６には直線状のスライドファスナー３０が設けられている。なお、いずれかの側面部、例えば側面部６又は側面部７に持ち手が形成されていてもよい。
【００１９】
側面部２、３、６、７は、底面部５から頂面部４に向かって延在し、可塑性を有する複数の線状体５３〜５６を含んでいる。これら線状体５３〜５６は可塑性、すなわち外力による変形後は概ねその形状を保持できる性質を有するので、側面部２、３、６、７を補強して、略矩形形状を保持可能にすることができる。したがって、これらの線状体５３〜５６は収納用布製品１の骨格を構成していると見ることができる。本実施の形態では、側面部２と側面部６との接合部分、側面部６と側面部３との接合部分、側面部３と側面部７との接合部分、及び、側面部７と側面部２との接合部分に、それぞれ線状体５６、５４、５３、５５が配置されている。ただし、これら線状体５３〜５６の配置は一例であり、収納用布製品１の骨格を構成可能であれば、他の配置であってもよい。
【００２０】
頂面部４は、角に丸みを帯びた略矩形形状を有する布地で形成されている。頂面部４は、頂面部４の周縁部に沿って頂面部４の周囲に配置され、可塑性を有する線状体５１を含んでいる。線状体５１は可塑性、すなわち外力による変形後は概ねその形状を保持できる性質を有するので、頂面部４を補強して、略矩形形状を保持可能にすることができる。したがって、線状体５１は収納用布製品１の骨格を構成していると見ることができる。本実施の形態では、側面部２、３、６、７と頂面部４との接合部分に線状体５１が環状に配置されている。頂面部４には、持ち手２０が設けられている。なお、頂面部４は、線状体の代わりに又は線状体と共に他の補強治具、例えば頂面部４と同形状の薄板状のパッドを含んでいてもよい。
【００２１】
収納用布製品１の骨格として含まれる線状体５３〜５６の塑性変形後の剛性がより強い場合には、収納用布製品１の底面部５を底面として水平面上に立たせたとき、形体保持性の効果として収納用布製品１は自立することができる。そのような剛性は、側面部２、３、６、７や頂面部４の布地の材質や線状体５３〜５６の形状などにより適宜実験的に決定される。収納用布製品１の骨格として含まれる線状体５１の塑性変形後の剛性がより強い場合には、収納用布製品１の自立をより安定化することができる。
【００２２】
なお、本実施の形態では、収納用布製品１は略直方体形状を有しているが、本発明はその例に限定されるものでは無く、従来知られた公知の他の形状を有していてもよい。他の形状としては、例えば、略円筒形状、略角錐台形状、略円錐台形状、略多角筒形状、略楕円体形状などが挙げられる。
【００２３】
また、収納用布製品１の底面部５、側面部２、３、６、７、及び頂面部４の布地やスライドファスナーなどの材料同士の接合は、縫合や接着や融着などの布製品において従来から用いられている公知の方法を用いることができる。また、底面部５、側面部２、３、６、７、及び頂面部４の各々は、それぞれ別々に形成され、その後にそれらが互いに接合されて収納用布製品１を形成してもよいし、そのいくつか（全体又は一部）がまとめられて一体に形成され、その後にそれらが互いに接合されて収納用布製品１を形成してもよい。
【００２４】
図５及び図６は実施の形態に係る側面部２におけるスライドファスナーの構成例及び開閉状態を示す模式図である。図５はスライドファスナー１１を閉じた状態を、側面部２を透視して示し（スライダーの記載を省略）、図６は蓋部２ｂを半分開いた状態を部分的に示している。
【００２５】
側面部２は、開口１０を有する側面本体部２ａと、開口１０を覆う蓋部２ｂと、側面本体部２ａと蓋部２ｂとの間に取着されたスライドファスナー１１とを含んでいる。開口１０は略矩形状を有しており、側面本体部２ａは開口１０の外側の三方を囲むように枠状に形成されている。蓋部２ｂは、開口１０に対応して略矩形形状に形成されている。本実施の形態では、開口１０及び蓋部２ｂの隣接する二つの角部は丸みを帯びており、スライドファスナー１１はその二つの角部を含む三辺に沿って配置されている。なお、側面本体部２ａは開口１０の外側の四方を囲むように枠状に形成されていてもよい。
【００２６】
スライドファスナー１１は、本実施の形態では、一対のファスナーテープ１１ｂ１、１１ｂ２と、一対のファスナーテープ１１ｂ１、１１ｂ２の対向するテープ側縁部に取着された一対のエレメント列１１ａ１、１１ａ２と、一対のエレメント列１１ａ１、１１ａ２に挿通されたスライダー１１ｓ１、１１ｓ２とを含んでいる。すなわち、本実施の形態では、二個のスライダー１１ｓ１、１１ｓ２が付いた止製品であって、二個のスライダー１１ｓ１、１１ｓ２の頭と頭が向かい合う頭合わせ型のスライドファスナーを用いている。
【００２７】
なお、本発明のスライドファスナー１１はこの例に限定されるものでは無く、収納用布製品１の特徴やデザインなどに基づいて他のタイプであってもよい。他のタイプとしては、一個のスライダーの止製品、開製品、二個のスライダーの逆開製品型、尻合わせ型、ループファスナー型などが挙げられる。また、スライドファスナー１１の種類としては、金属ファスナー、樹脂ファスナー、ビスロンファスナーが挙げられる。
【００２８】
スライドファスナー１１における幅方向の一側縁部、すなわちファスナーテープ１１ｂ１の外側のテープ側縁部は、側面部２における側面本体部２ａの開口１０側の周縁部に沿って側面本体部２ａに取着されている。一方、スライドファスナー１１における幅方向の他側縁部、すなわちファスナーテープ１１ｂ２の外側のテープ側縁部は、側面部２における蓋部２ｂの周縁部に沿って蓋部２ｂに取着されている。したがって、スライドファスナー１１は、側面部２における側面本体部２ａの開口１０側の周縁部に沿って延在しているということができ、また側面部２における蓋部２ｂの周縁部に沿って延在しているということもできる。ただし、側面本体部２ａの開口１０側の周縁部及び蓋部２ｂの周縁部は、周縁の端だけでなく端から所定の幅を有する範囲を示す。例えば側面本体部２ａの周縁部では側面部２の幅（対象となる端の近傍の周縁から垂直な方向の幅）の１０％程度の幅の範囲であり、蓋部２ｂの周縁部では蓋部２ｂの幅（対象となる端の近傍の周縁から垂直な方向の幅）の１０％程度の幅の範囲である。
【００２９】
スライドファスナー１１は、本実施の形態では、スライドファスナー１１の長手方向の一端部１１Ｅ１と他端部１１Ｅ２との間に湾曲部分１１Ｃ１、直線部分１１Ｄ、及び湾曲部分１１Ｃ２をこの順に有している。湾曲部分１１Ｃ１、１１Ｃ２は、開口１０及び蓋部２ｂの丸みを帯びた隣接する二つの角部の位置に対応している。
【００３０】
側面部２は、更に、側面本体部２ａ、蓋部２ｂ、及びスライドファスナー１１の少なくとも一つに取着された、可塑性を有する線状体５０を備えている。線状体５０は、スライドファスナー１１の湾曲部分１１Ｃに沿って延在している。線状体５０は可塑性、すなわち外力による変形後は概ねその形状を保持できる性質を有するので、側面本体部２ａ及びスライドファスナー１１を補強して、それらの形状を保持可能にすることができる。本実施の形態では、線状体５０は、側面本体部２ａの開口１０側の周縁部に沿って取着されている。線状体５０は、スライドファスナー１１に沿って、一端部１１Ｅ１から湾曲部分１１Ｃ１、直線部分１１Ｄ、及び湾曲部分１１Ｃ２を介して他端部１１Ｅ２まで延在している。なお、線状体は、更に、側面部２における蓋部２ｂの周縁部に沿って取着されていてもよい。言い換えると、スライドファスナー１１の両側に線状体が配置されていてもよい。その場合、側面本体部２ａ及びスライドファスナー１１をより強く補強して、それらの形状をより強力に保持可能にすることができる。
【００３１】
なお、本実施の形態では、開口及び蓋部とそれらに伴うスライドファスナー１１及び線状体５０は側面部２に形成されているが、本発明はその例に限定されるものでは無く、収納用布製品１の特徴やデザインなどに応じて他の側面部３、６、７や頂面部４に形成されていてもよい。言い換えると、開口及び蓋部などは、収納用布製品１の底面部５を除いた外側の面である側面部３、６、７及び頂面部４のいずれか、すなわち外面部に形成されている、ということができる。また、開口及び蓋部などは、複数形成されていてもよい。
【００３２】
線状体５０、５１、５３〜５６は、外力（例示：使用者が収納用布製品を拡げようとする力）による変形後は概ねその形状を保持できる性質、すなわち可塑性を有する線状の部材である。各線状体の材料としては、可塑性を有していれば特に制限はないが、樹脂が好ましい。これにより、各線状体は、さびや金属疲労により折れることがない。樹脂製の線状体としては、例えば、特開昭６１−２８２４１６号公報に開示のポリエチレンを圧縮延伸したプラスチックワイヤー、特開平２−２９３４０７号公報に開示のポリオレフィンを圧縮延伸したプラスチックワイヤー、特開平７−２３８４１７号公報に開示のポリエチレン溶融固化物又はそのポリエチレンと他のポリオレフィンとの混合溶解固化物を延伸して可塑性が付与された延伸物が挙げられる。可塑性が高いことから、線状体は、ポリオレフィンを主成分とする樹脂からなることが好ましい。
【００３３】
収納用布製品１の底面部５、側面部２、３、６、７、並びに頂面部４の布地の材料としては、特に制限はなく、収納用布製品に使用可能な公知の材料を用いることができる。例えば、それらの布地の材料としては、強度が高く軽量であるナイロン及びポリエステルなどの合成繊維が挙げられる。軽量で柔らかく折り畳み易いという携帯性を高める観点では、それらの布地の繊度は、２０デニール以上、４２０デニール以下であることが好ましく、３０デニール以上、２１０デニール以下であることがより好ましい。繊度が低過ぎると布地の強度が十分に得られなくなり、繊度が高過ぎると重さや折り畳み難くさにより、携帯し難くなるからである。
【００３４】
上記構成を有する収納用布製品１では、布地やスライドファスナー１１や線状体５０、５１、５３〜５６などの材料が軽量で柔らかいため、収納用布製品１を小さく折り畳んで仕舞うことで携帯することが可能である。また、線状体５０、５１、５３〜５６を、頂面部４及び側面部２、３、６、７に取り付けているので、例えば小さく折り畳んで仕舞っていた収納用布製品１を本来の形状に拡げて、本来の形状に戻したとき、それに伴って同時に必然的に、線状体５０、５１、５３〜５６も本来の形状に戻ることができ、その形状を保持し続けることができる。それにより、収納用布製品１の布地を本来の形状に保持することができる。その結果、収納用布製品１では、携帯性に加えて、形状保持性を有することができる。
【００３５】
また、布地やスライドファスナーなどの材料が柔らかい収納用布製品１では、収納用布製品に収納された物品量が少ないと、下方に垂れ下がる箇所が発生するなど全体的に型崩れを起こして持ち運び難くなるおそれがある。しかし、上記構成を有する収納用布製品１では、線状体５０、５１、５３〜５６が側面部２、３、６、７を本来の形状に保持することができるので、収納用布製品１に収納された物品量に拘らず、収納用布製品１を、型崩れを起こさないようにすることができる。それにより、収納用布製品１に収納された物品量に拘らず、収納用布製品１を持ち運び易い状態で維持することが可能となる。
【００３６】
図７は実施の形態に係るスライドファスナーの構成例を示す断面図である。図７（Ａ）は図２のＶＩＩＡ−ＶＩＩＡ’断面、すなわちスライドファスナー１１の一端部１１Ｅ１の断面を示している。ただし、本実施の形態では他端部１１Ｅ２の断面も同様である。図７（Ｂ）は図２のＶＩＩＢ−ＶＩＩＢ’断面、すなわちスライドファスナー１１の湾曲部分１１Ｃ１の断面を示している。ただし、本実施の形態では湾曲部分１１Ｃ２、及び直線部分１１Ｄの断面も同様である。
【００３７】
図７（Ａ）及び図７（Ｂ）に示すように、本実施の形態では、スライドファスナー１１のファスナーテープ１１ｂ１における外縁端部と、側面部２の側面本体部２ａの周縁部と、線状体５０とは重ね合わされ、裏地８０により挟持され、例えば縫合されることにより、互いに接合されている。一方、スライドファスナー１１のファスナーテープ１１ｂ２における外縁端部と、側面部２の蓋部２ｂの周縁部とは重ね合わされ、例えば縫合されることにより、互いに接合されている。したがって、線状体５０は、スライドファスナー１１に沿って、一端部１１Ｅ１から湾曲部分１１Ｃ１、１１Ｃ２を介して他端部１１Ｅ２まで延在している。そして、線状体５０は、側面本体部２ａを介してスライドファスナー１１と重なり合うように側面本体部２ａに取着され、それにより線状体５０とスライドファスナー１１とがほぼ一体的に構成されている。このように、線状体５０とスライドファスナー１１とが一体的に構成されているため、線状体５０により、より確実にスライドファスナー１１の形状を保持することができる。
【００３８】
ここで、スライドファスナー１１の一対のエレメント列１１ａ１、１１ａ２及びその外側の一対のファスナーテープ１１ｂ１、１１ｂ２（側面本体部２ａ及び蓋部２ｂとの接合箇所を除く）が形成する面をスライドファスナー１１の面ＰＳと称する。また、側面部２の側面本体部２ａの（開口１０側の）周縁部（スライドファスナー１１との接合箇所を除く）の接平面を側面本体部２ａの周縁部の面ＰＦａと称する。また、蓋部２ｂの周縁部（スライドファスナー１１との接合箇所を除く）の接平面を蓋部２ｂの周縁部の面ＰＦｂと称する。
【００３９】
そうすると、図７（Ａ）に示されるように、一端部１１Ｅ１及び他端部１１Ｅ２におけるスライドファスナー１１の面ＰＳ１は、側面本体部２ａの周縁部の面ＰＦａ１及び蓋部２ｂの周縁部の面ＰＦｂ１に概ね沿っている。すなわち、面ＰＳ１は、面ＰＦａ１及び面ＰＦｂ１と低角度（例示：３０°以下の角度）で交差し、又は重なっている。一方、図７（Ｂ）に示されるように、湾曲部分１１Ｃ１、１１Ｃ２におけるスライドファスナー１１の面ＰＳ２は、側面本体部２ａの周縁部の面ＰＦａ２及び蓋部２ｂの周縁部の面ＰＦｂ２に対して立設している。すなわち、面ＰＳ２は、面ＰＦａ２及び面ＰＦｂ２とは、高角度（例示：９０±３０°の範囲の角度）で交差している。言い換えると、一端部１１Ｅ１又は他端部１１Ｅ２におけるスライドファスナー１１の面ＰＳ１に対して、湾曲部分１１Ｃ１、１１Ｃ２におけるスライドファスナー１１の面ＰＳ２が立ち上がった状態、すなわち所定の角度（例示：略直角；９０±３０°）だけねじれた状態になっている。
【００４０】
このように配置すると、湾曲部分を有するスライドファスナー１１として、ファスナーテープの面内でエレメント列が曲がった曲がりスライドファスナーを用いる必要はなく、通常の直線型のスライドファスナーを用いることができる。また、スライドファスナー１１の一端部１１Ｅ１及び他端部１１Ｅ２の近傍では、スライドファスナー１１によるマチ部、すなわち側面本体部２ａと蓋部２ｂとの間の隙間の部分に架け渡される部分（ここではスライドファスナー１１）が無くなり、側面本体部２ａと蓋部２ｂとが重なり合った状態となるので、蓋部２ｂが側面本体部２ａ飛び出ていることにより他の物に引っ掛かる事態を防止できる。
【００４１】
上記の一実施の形態に係る収納用布製品１は、次のような作用効果を奏する。
（１）上記実施の形態に係る収納用布製品１では、外力による変形後は概ねその形状を保持できる可塑性を有する線状体５０が、スライドファスナー１１の少なくとも湾曲部分１１Ｃ１、１１Ｃ２に沿って取着されている。そのため、例えば小さく折り畳んで仕舞っていた収納用布製品１を本来の形状に拡げて、スライドファスナー１１を本来の形状に戻したとき、それに伴って同時に必然的に、線状体５０もスライドファスナー１１の湾曲部分１１Ｃ１、１１Ｃ２に沿った本来の形状に戻ることができる。本来の形状に戻った線状体５０は、塑性変形により本来の形状を保持し続けることができる。それにより、線状体５０の周囲、すなわちスライドファスナーの湾曲部分１１Ｃ１、１１Ｃ２を本来の形状に保持できるので、外力に対するスライドファスナー１１の変形を抑制できる。ここで、スライドファスナー１１の湾曲部分１１Ｃ１、１１Ｃ２では、スライドファスナー１１の開閉に必要な力の方向、すなわちスライダーに印加すべき力の方向がスライダーの位置で連続的に変化する。そのため、スライドファスナー１１が変形し易いと、適切な方向の力をスライダーに印加できず、スライドファスナー１１の開閉が困難になるおそれがある。しかし、上記収納用布製品１では、線状体５０によりスライドファスナー１１の変形が抑制されるので、適切な方向の力をスライダーに印加でき、スライドファスナー１１の湾曲部分１１Ｃ１、１１Ｃ２でも容易に開閉することができる。このように、この収納用布製品１では、収納用布製品１が軽量で折り畳み容易なことによる携帯性と、収納用布製品１の使用時にスライドファスナー１１の変形が抑制されることによるスライドファスナー１１の開閉容易性と、を両立させることができる。それにより、物品を収納用布製品１内に容易に収納等することが可能になる。
【００４２】
（２）上記実施の形態に係る収納用布製品１では、線状体５０とスライドファスナー１１とが共に側面本体部２ａ（外面本体部）の周縁部に配置されており、線状体５０とスライドファスナー１１とは近接している。それにより、スライドファスナー１１を線状体５０でより強力に補強することができ、スライドファスナー１１を外力に対してより変形し難くさせることができる。その結果、スライドファスナー１１をより開閉し易くすることができる。
【００４３】
（３）上記実施の形態に係る収納用布製品１では、一端部１１Ｅ１又は他端部１１Ｅ２におけるスライドファスナー１１の面ＰＳ１に対して、湾曲部分１１Ｃ１、１１Ｃ２におけるスライドファスナー１１の面ＰＳ２が立ち上がった状態、すなわち所定の角度だけねじれた状態になっている。このような場合、スライドファスナー１１は、途中でねじられた状態になり、かつ、湾曲した状態になっているので、スライドファスナー１１やその周囲の布地が柔らかいと、スライドファスナー１１が変形して、その開閉が困難になるおそれがある。そこで、上記収納用布製品１では、線状体５０が、スライドファスナー１１に沿って、スライドファスナー１１の一端部１１Ｅ１から湾曲部分１１Ｃ１、１１Ｃ２を介して他端部まで延在し、かつ、側面本体部２ａ（外面本体部）を介してスライドファスナー１１と重なり合うように側面本体部２ａに取着されている。それにより、ねじられた状態の湾曲部分１１Ｃ１、１１Ｃ２を含めてスライドファスナーの形体がより変形し難くなり、より安定するので、スライドファスナー１１を滑らかに開閉し易くすることができる。
【００４４】
（４）上記実施の形態に係る収納用布製品１において、スライドファスナー１１の両側に線状体が配置されている場合には、線状体によるスライドファスナー１１及びその付近の形状の保持の効果が向上し、スライドファスナーの変形が著しく減少するので、スライドファスナーをより開閉し易くすることができる。
【００４５】
（５）上記実施の形態に係る収納用布製品１において、収納用布製品１の骨格を構成するように線状体５３〜５６が配置されているので、収納用布製品全体としての形体保持性をより高めることができ、それにより収納用布製品１全体の変形を著しく減少させて、スライドファスナー１１をより開閉し易くすることができる。また、更に、収納用布製品１の骨格を構成するように線状体５１が配置されているので、収納用布製品１全体としての形体保持性を更に高めることができ、それによりスライドファスナー１１を更に開閉し易くすることができる。
【００４６】
（６）上記実施の形態に係る収納用布製品１では、収納用布製品１の骨格として含まれる線状体５３〜５６の塑性変形後の剛性がより強い場合には、収納用布製品１の底面部５を底面として水平面上に立たせたとき、形体保持性の効果として収納用布製品１は自立することができる。それにより、収納用布製品１を自立させた状態において、形体保持性の効果としてスライドファスナー１１をより開閉し易くすることができる。また、更に、線状体５１が配置されているので、収納用布製品１をより安定的に自立することができ、スライドファスナー１１を更に開閉し易くすることができる。
【００４７】
（７）上記実施の形態に係る収納用布製品１では、底面部、側面部及び頂面部を形成する布地の繊度は２０デニール以上、４２０デニール以下であることが好ましい。このような繊度を有する布地は極めて柔らかくしなやかなので、収納用布製品１としての携帯性をより高めることができる。
【実施例】
【００４８】
（実施例１）
上述された収納用布製品１である、何も収容していないデイパックを折り畳んだ後、再び拡げて図１〜図４に示す本来の形状にした。そして、スライドファスナー１１を開閉しようとしたところ、スライドファスナー１１のスライダーを滑らかに動かすことができ、スライドファスナー１１を容易に開閉することができた。
【００４９】
（比較例１）
上述された収納用布製品１と同一の形状であるが線状体を全く備えておらず、何も収容していないデイパックを折り畳んだ後、再び拡げた。しかし、側面部の布地が萎れて底面部に折り重なったままであった。そのため、スライドファスナーを開閉しようとしたところ、スライドファスナー１１のスライダーをつっかえつっかえ動かすことになり、スライドファスナーを開閉するのに非常に手間がかかった。
【００５０】
以上の説明はあくまで一例であり、本発明は上記実施形態の構成になんら限定されるものではない。
【符号の説明】
【００５１】
１    収納用布製品
２、３、６、７    側面部（外面部）
２ａ    側面本体部（外面本体部）
２ｂ    蓋部
４    頂面部
５    底面部
１０    開口
１１    スライドファスナー
１１Ｃ、１１Ｃ１、１１Ｃ２    湾曲部分
１１Ｅ１    一端部
１１Ｅ２    他端部
５０、５１、５３、５４、５５、５６    線状体
【図１】
2017124011.tif 000003
【図２】
2017124011.tif 000004
【図３】
2017124011.tif 000005
【図４】
2017124011.tif 000006
【図５】
2017124011.tif 000007
【図６】
2017124011.tif 000008
【図７】
2017124011.tif 000009